(57)【要約】【課題】  本発明は、光軸方向から塗布された接着剤のレンズ装置内部への流入を抑制することが可能なレンズ装置及びこれを備えた光学機器を提供することを目的とする。【解決手段】  レンズを保持するレンズ保持部材と、接着剤を保持するために前記レンズの光軸方向に開口している接着剤保持部を有するとともに、前記レンズ保持部材の外周側に設けられたベース部材と、少なくとも一部が前記レンズ保持部材の外周面よりも前記ベース部材の内周面側に突出するとともに前記光軸方向と交差するように前記ベース部材の内部に配置された円環状部材と、を備える、ことを特徴とするレンズ装置。【選択図】  図１
2019184802.tif 000002
【特許請求の範囲】
【請求項１】
レンズユニットを保持するレンズ保持部材と、
接着剤を保持するために前記レンズユニットの光軸方向に開口している接着剤保持部を有するとともに、前記レンズ保持部材の外周側に設けられたベース部材と、
少なくとも一部が前記レンズ保持部材の外周面よりも前記ベース部材の内周面側に突出するとともに前記光軸方向と交差するように前記ベース部材の内部に配置された円環状部材と、を備える、
ことを特徴とするレンズ装置。
【請求項２】
前記円環状部材の外周面の少なくとも一部は、前記ベース部材の内周面に接触している、
ことを特徴とする請求項１に記載のレンズ装置。
【請求項３】
前記円環状部材は、前記ベース部材の内周面に嵌合している、
ことを特徴とする請求項１または２に記載のレンズ装置。
【請求項４】
前記円環状部材を付勢するための付勢部材をさらに備える、
ことを特徴とする請求項１乃至３のいずれか一項に記載のレンズ装置。
【請求項５】
前記円環状部材は、平面部と、弾性変形可能な弾性変形部を備え
前記弾性変形部によって前記平面部が付勢されている、
ことを特徴とする請求項１乃至３のいずれか一項に記載のレンズ装置。
【請求項６】
前記ベース部材に対する前記レンズ保持部材の相対的な位置及び姿勢のうち少なくとも一方を調整するための調整手段をさらに備える、
ことを特徴とする請求項１乃至５のいずれか一項に記載のレンズ装置。
【請求項７】
前記調整手段による前記レンズ保持部材の位置の最大調整量をＲｍａｘとし、前記円環状部材の内周部と前記レンズ保持部材の外周部との隙間の前記円環状部材の径方向の大きさをＧとするとき、
Ｒｍａｘ≦Ｇ
を満足するように構成されている、
ことを特徴とする請求項６に記載のレンズ装置。
【請求項８】
前記調整手段による前記レンズ保持部材の位置の最大調整量をＲｍａｘとし、前記レンズ保持部材の最外径をＤｂとし、前記円環状部材の内径をＤｗとするとき、
Ｄｗ＋２×Ｒｍａｘ＜Ｄｂ
を満足するように構成されている、
ことを特徴とする請求項６または７に記載のレンズ装置。
【請求項９】
前記レンズ保持部材を保持する押さえ部材をさらに備え、
前記円環状部材は、前記レンズ保持部材と前記押さえ部材に保持されている、
ことを特徴とする請求項１乃至８のいずれか一項に記載のレンズ装置。
【請求項１０】
請求項１乃至９のいずれか一項に記載のレンズ装置と、
前記レンズ装置が着脱可能であるとともに、撮像素子を有するカメラボディとを備える、
ことを特徴とする光学機器。
【請求項１１】
請求項１乃至９のいずれか一項に記載のレンズ装置と、
前記レンズ装置と一体的に構成されているとともに、撮像素子を有するカメラボディとを備える、
ことを特徴とする光学機器。
【発明の詳細な説明】
【技術分野】
【０００１】
本発明は、レンズ装置およびこれを備えた光学機器に関する。
【背景技術】
【０００２】
レンズを保持するレンズ保持枠の位置調整を行うことが可能なレンズ装置として、特許文献１に記載のレンズ装置が知られている。特許文献１に記載のレンズ装置は、調整後のレンズ保持枠をベース枠に対して固定するための接着剤がベース枠の内部に流れ出てしまうことを抑制するための接着板を備えている。より詳細には、レンズ保持枠に設けられた偏芯ピンと、ベース枠に設けられた偏芯ピン用の調整穴との間の隙間を前述の接着板が塞ぐことで接着剤のベース枠内部への流入を抑制している。
【先行技術文献】
【特許文献】
【０００３】
【特許文献１】特開２０１７−１３４３８７号公報
【発明の概要】
【発明が解決しようとする課題】
【０００４】
ここで、前述の特許文献１に記載のレンズ装置は、接着剤をベース枠の径方向から塗布する構成においては接着剤のベース枠内部への流入を抑制することができる。しかしながら、特許文献１には、接着剤を光軸方向から塗布する構成において接着剤のベース枠内部への流入を抑制することが可能な構成については開示されていない。
【０００５】
そこで本発明は、光軸方向から塗布された接着剤のレンズ装置内部への流入を抑制することが可能なレンズ装置及びこれを備えた光学機器を提供することを目的とする。
【課題を解決するための手段】
【０００６】
上記の目的を達成するために本発明のレンズ装置は、
レンズユニットを保持するレンズ保持部材と、
接着剤を保持するために前記レンズユニットの光軸方向に開口している接着剤保持部を有するとともに、前記レンズ保持部材の外周側に設けられたベース部材と、
少なくとも一部が前記レンズ保持部材の外周面よりも前記ベース部材の内周面側に突出するとともに前記光軸方向と交差するように前記ベース部材の内部に配置された円環状部材と、を備える、
ことを特徴とする。
【発明の効果】
【０００７】
本発明によれば、光軸方向から塗布された接着剤のレンズ装置内部への流入を抑制することが可能なレンズ装置及びこれを備えた光学機器を提供することができる。
【図面の簡単な説明】
【０００８】
【図１】本発明の第１実施例における第４群レンズ保持構造の分解斜視図
【図２】本発明の第１実施例における第４群レンズ保持構造を光軸後ろ方向から示した図
【図３】図２に示すＡ−Ａにおける断面図
【図４】図３に示すＢ部分の拡大図
【図５】本発明の第２実施例におけるワッシャ４４８を示した図
【図６】図５に示すＣ−Ｃにおける断面図
【図７】本発明の実施形態であるレンズ保持部付勢構造を備えた一眼レフカメラ用交換レンズ
【発明を実施するための形態】
【０００９】
〔第１実施例〕
図７を用いて本実施例におけるカメラシステム（光学機器）の構成について説明する。ここでいうカメラシステムはレンズ装置２００及びカメラボディ１００の総称である。
【００１０】
（カメラボディ１００の構成）
カメラボディ１００はレンズ装置２００からの光を受光するＣＣＤやＣＭＯＳ等の撮像素子１００ａとクイックリターンミラー１００ｂを備えている。本実施例においてカメラボディ１００に対してレンズ装置２００は着脱可能に設けられているが、レンズ装置２００とカメラボディ１００が一体的に構成されていてもよい。つまり、レンズ装置２００は交換レンズであっても、カメラシステムやプロジェクタなどの光学機器に内蔵されたレンズ装置であってもよい。
【００１１】
（レンズ装置２００の構成）
次に、レンズ装置２００を構成する各構成要素について説明する。
【００１２】
レンズ装置２００は、第１レンズユニットＬ１、第２レンズユニットＬ２、第３レンズユニットＬ３、第４ａサブレンズユニットＬ４ａ、第４ｂサブレンズユニットＬ４ｂを備える。これらの複数のレンズユニットの総称を撮影光学系あるいは変倍光学系とする。
【００１３】
ズーミングの際に、第１レンズユニットＬ１、第２レンズユニットＬ２、第３レンズユニットＬ３、第４ａサブレンズユニットＬ４ａ、第４ｂサブレンズユニットＬ４ｂが撮影光学系あるいは各レンズユニットの光軸方向（以後、光軸方向）に進退する。後述のように、第４ａサブレンズユニットＬ４ａ及び第４ｂサブレンズユニットＬ４ｂは同じ部材に保持されているために、ズーミングの際には互いに同じ軌跡で移動する。第４ａサブレンズユニットＬ４ａ及び第４ｂサブレンズユニットＬ４ｂの総称を第４レンズユニットとする。このとき、ズーミングの際に、第１レンズユニットＬ１、第２レンズユニットＬ２、第３レンズユニットＬ３、第４レンズユニットは互いに異なる軌跡で移動する。つまり、各レンズユニット間の境界はズーミングの際に変化するレンズ間の間隔内にある。
【００１４】
フォーカシングの際には、第１レンズユニットＬ１、第３レンズユニットＬ３、第４ａサブレンズユニットＬ４ａ、第４ｂサブレンズユニットＬ４ｂは移動せず、第２レンズユニットＬ２が光軸方向に移動する。
【００１５】
マウント部１０１は、カメラボディ１００にレンズ装置２００を取り付けるためのバヨネット部を有し、固定筒１０２にビス止め固定されている。固定筒１０２には、不図示の目盛窓とＳＷパネルが取り付けられている。ＳＷパネルに設けられたスイッチを切り替えることによって、オートフォーカスなどの機能を選択して使用することができる。
【００１６】
外装環１０３は、マウント部１０１と固定筒１０２との間に挟み込まれて固定されている。案内筒１０４は、固定筒１０２にビス止め固定されることでカメラボディ１００に対する位置が固定される。
【００１７】
案内筒１０４の外周には、１群コロ２１３や不図示のインナーカム筒コロ、３群カム筒コロ、４群コロによって光軸周りの回転のみ可能となっているカム筒１０５が嵌合している。これにより、カム筒１０５を回転させると案内筒１０４に設けられた光軸方向の案内溝とカム筒１０５に設けられたカム溝との交点が移動する。この交点の移動に従い、コロを介して後述の各レンズ保持枠を光軸方向へ移動させることができる。
【００１８】
フィルタ枠２１０の先端外周にはバヨネット部が、内周にはネジ部が設けられていて、それぞれフードやフィルタなどのアクセサリが装着可能となっている。また、フィルタ枠２１０には第１レンズユニットＬ１を保持する第１レンズ保持枠２１１がビス止め固定されている。
【００１９】
フィルタ枠２１０と第１レンズ保持枠２１１との当接部はそれぞれ周方向に延びる斜面形状に形成されている。このため、第１レンズ保持枠２１１を回転させてフィルタ枠２１０に取り付けることにより、第１レンズ保持枠２１１のフィルタ枠２１０に対する光軸方向の取り付け位置を選択することができる。これにより、製造誤差による広角側と望遠側の焦点位置のズレを補正することができる。フィルタ枠２１０は直進筒２１２にビス止め固定されている。直進筒２１２には１群コロ２１３がビス止め固定されている。
【００２０】
第４レンズ保持枠２４１は、第４ａサブレンズユニットＬ４ａおよび第４ｂサブレンズユニットＬ４ｂ（第４レンズユニット）を保持している。第４レンズ保持枠２４１は、第４レンズユニット用のベース枠（ベース部材）２４３に第４レンズユニット用の平行調整コロ２４５および４群倒し調整コロ２４６を介して保持されている。
【００２１】
ベース枠２４３には後述の図１に示す第４レンズユニット用のコロ２４４がビス止め固定されている。コロ２４４は案内筒１０４に設けられた光軸方向の案内溝とカム筒１０５に設けられたカム溝と係合している。したがって、案内筒１０４に対してカム筒１０５が回転すると、案内溝とカム溝との交点が移動することでコロ２４４が光軸方向へ移動する。それにより、ベース枠２４３と一体となって第４ａサブレンズユニットＬ４ａおよび第４ｂサブレンズユニットＬ４ｂの光軸方向への移動が行われる。
【００２２】
ベース枠２４３の内周側において、第４レンズ保持枠（レンズ保持部材）２４１の前方には開放口径の決定および有害光のカットを目的とする副絞り３１１が弾性結合されている。ベース枠２４３の外周には、不図示の第３レンズユニット用のカム筒コロによって光軸周りの回転のみ可能となっている第３レンズユニット用のカム筒２３０が嵌合している。カム筒２３０には前述の第３レンズユニット用のカム筒コロがビス止め固定されていて、このカム筒コロは、カム筒１０５に設けられた直進溝と係合している。
【００２３】
第３レンズユニットＬ３を保持する第３レンズ保持枠２３１には不図示の第３レンズユニット用のコロがビス止め固定されている。この第３レンズユニット用のコロはベース枠２４３に設けられた光軸方向の案内溝とカム筒２３０に設けられたカム溝と係合している。したがって、ベース枠２４３に対してカム筒２３０が回転すると、案内溝とカム溝との交点が移動することで前述の第３レンズユニット用のコロが光軸方向へ移動する。それにより、ベース枠２４３に保持された第４ａサブレンズユニットＬ４ａおよび第４ｂサブレンズユニットＬ４ｂと、第３レンズ保持枠２３１に保持された第３レンズユニットＬ３との間隔が変化する。
【００２４】
また、案内筒１０４に対してカム筒１０５が回転すると、ベース枠２４３とカム筒２３０との光軸方向への移動が行われる。それにより、ベース枠２４３とカム筒２３０とに前述の第３レンズユニット用のコロで支持された第３レンズ保持枠２３１が光軸方向へ移動することでも、第３レンズユニットＬ３の光軸方向への移動が行われる。また、絞り駆動部と絞り羽根部とから構成される電磁絞りユニット３０１は、第３レンズ保持枠２３１の前方にビス止め固定されている。
【００２５】
ズーム操作環１０６は周方向に設けられている溝にバヨネット形状が係合することで、光軸方向の移動が規制された状態で光軸周りの回転のみが可能となっている。ズーム操作環１０６の外周にはズームゴム１０７が巻き付けられている。ズーム操作環１０６の内周には不図示のズームキーがビス止め固定されていて、カム筒１０５に設けられた凹部と係合している。これにより、ズームキーを介してズーム操作環１０６と一体的にカム筒１０５を回転させることができる。
【００２６】
ズーム操作環１０６にビス止め固定された不図示のズームブラシは、エンコーダフレキシブル基板のグレイコードパターン上を摺動して、ズーム操作環１０６とエンコーダフレキシブル基板の位置関係を検出するために用いられる。
【００２７】
フォーカスユニット１０８は案内筒１０４にビス止め固定されている。フォーカスユニット１０８は主として振動型モータと作動機構とで構成されている。そして、フォーカスユニット１０８は、振動型モータのロータ回転量とフォーカス操作環１０９の回転量に応じた不図示のフォーカスキーの回転量を出力する。フォーカス操作環１０９の外周にはフォーカスゴム１１０が巻き付けられている。
【００２８】
フォーカスユニット１０８から円弧上に延出した延出部の内周には、不図示のスケール基板が貼り付けられている。それに対向するように配置された不図示の位置検出センサによって、フォーカス操作によるフォーカスキーの回転量を検出する。更に、フォーカスユニット１０８の外周側におけるエンコーダフレキシブル基板が設けられていない位相には突出部が設けられている。この突出部には不図示のコロがビス止め固定されている。
【００２９】
インナーカム筒２２０には、不図示のインナーカム筒コロがビス止め固定されている。このコロは案内筒１０４に設けられたカム溝およびカム筒１０５に設けられた光軸方向溝に係合する。このためインナーカム筒２２０はカム筒１０５と一体的に回転しながら光軸方向に進退する。
【００３０】
第２レンズユニットＬ２を保持する第２レンズ保持枠２２１は、外周に取り付けられた第２レンズユニット用のカムフォロア２２２がインナーカム筒２２０の内周に設けられたカム溝に係合している。また、第２レンズ保持枠２２１から延出した不図示のフォーカスキー係合形状は、フォーカスキーと一体的に回転するよう係合している。
【００３１】
このため、第２レンズ保持枠２２１はカム筒１０５が回転する（フォーカスキーは停止）と、インナーカム筒２２０の光軸方向の進退量とインナーカム筒２２０のカム溝の回転に伴う係合点の光軸方向変化量の合計量だけ光軸方向に進退する。また、フォーカスキーが回転する（カム筒１０５は停止）と、第２レンズ保持枠２２１は、回転しながらインナーカム筒２２０のカム溝との係合点の光軸方向変化量に応じて進退する。
【００３２】
レンズ装置２００では、これらの機構によってインナーフォーカスにおける焦点距離変化に伴う焦点位置ズレをメカ的な機構で第２レンズユニットＬ２を光軸方向に進退させて補正している。
【００３３】
メイン基板１１４はフォーカスユニット１０８、電磁絞りユニット３０１、およびエンコーダフレキシブル基板と可撓性フレキシブル基板を介して、または直接電気的に接続され、各種制御を行う。接点ブロック１１５はマウント部１０１にビス止め固定され、メイン基板１１４とフレキシブル基板を介して接続される。接点ブロック１１５はカメラボディ１００との通信および電源の供給を行うために設けられている。裏蓋１１６はマウント部１０１に弾性結合して有害光をカットしている。保護ゴムリング１１７はマウント部１０１に弾性結合している。
【００３４】
以上のように構成された交換レンズであるレンズ装置２００では、ズーム操作環１０６を回転させるとズームキーを介してカム筒１０５が回転し、上記機構に従い全てのレンズが光軸方向に進退して変倍（ズーミング）が行われる。この際、カム筒２３０はベース枠２４３と光軸方向に一体となって進退する。そして、カム筒２３０にビス止め固定された不図示の第３レンズユニット用のカム筒コロが案内筒１０４に設けられたカム溝に沿って動くことで、ベース枠２４３に対して光軸周りに回転する。それにより、第３レンズユニットＬ３を保持する第３レンズ保持枠２３１の光軸方向への駆動が行われる。また、ベース枠２４３の光軸方向の進退により、副絞り３１１に設けられた不図示の副絞りコロが案内筒１０４に設けられたカム溝に係合して駆動され、開閉動作が行われる。
【００３５】
一方、オートフォーカス時には振動型モータの駆動により、マニュアルフォーカス時にはフォーカス操作環１０９を回転させることで、それぞれフォーカスキーが回転する。これにより上記機構に従って第２レンズユニットＬ２が進退してフォーカシングを行うことができる。
【００３６】
（第４レンズユニット用の調整及び固定構造）
次に図１から図４を用いて、本実施例における第４レンズユニット用の調整及び固定が可能な保持構造について説明する。
【００３７】
図１は本実施例における第４レンズユニット用の保持構造の分解斜視図である。ここでいう第４レンズユニット用の保持構造とは、図１に示される各部品の総称である。第４ａサブレンズユニットＬ４ａは第４レンズ保持枠２４１に光軸前方向から挿入されて、第４レンズ保持枠２４１をかしめることによって保持されている。第４ｂサブレンズユニットＬ４ｂは第４レンズ保持枠２４１に光軸後ろ方向から挿入されて、第４レンズユニット用の押さえ環２４２によって保持されている。
【００３８】
押さえ環２４２には押さえ環固定めねじ２４２ａが設けられ、第４レンズ保持枠２４１に設けられた押さえ環固定おねじ２４１ａとねじ結合することで固定されている。また、第４レンズ保持枠２４１に設けられたワッシャ保持形状２４１ｂと押さえ環２４２との間に、遮蔽部材となるワッシャ（円環状部材）２４８が保持されている。
【００３９】
第４レンズ保持枠２４１には第４レンズユニット用の平行調整コロ２４５が光軸周りに略１２０度間隔で３個、ビス２４７によって固定されている。また、第４レンズ保持枠２４１には第４レンズユニット用の倒し調整コロ２４６が光軸周りに略１２０度間隔で３個、ビス２４７によって固定されている。
【００４０】
平行調整コロ２４５と倒し調整コロ２４６は、第４レンズ保持枠２４１に固定するビス２４７の中心軸に対して偏心した円筒部を持つ。そして、この円筒部がベース枠２４３に設けられた第４レンズユニット用のベース平行調整コロ穴２４３ａと第４レンズユニット用のベース倒し調整コロ穴２４３ｂとにそれぞれ係合している。
【００４１】
平行調整コロ２４５と倒し調整コロ２４６とをビス中心軸周りでそれぞれ回転させることで、ベース枠２４３に対する軸位置が変化する。そして、ベース枠２４３に対する第４レンズ保持枠２４１の相対位置が変化するため、第４ａサブレンズユニットＬ４ａと第４ｂサブレンズユニットＬ４ｂとの光軸前後方向、偏心方向、傾き方向の位置が変化する。
【００４２】
以上の構成によって、製造誤差でレンズユニットに生じる光軸方向の位置ずれや光軸ズレを修正する光学調整が可能である。つまり、レンズ装置２００は、ベース枠２４３に対する第４レンズ保持枠２４１の相対的な位置及び姿勢のうち少なくとも一方を調整するための調整手段を備えている。そして、この調整手段は、本実施例においては、平行調整コロ２４５、倒し調整コロ２４６、ベース平行調整コロ穴２４３ａ、ベース倒し調整コロ穴２４３ｂを備えている。
【００４３】
（第４レンズユニット用の接着固定構造）
レンズ装置２００の組立工程において、上記の光学調整を行った後に、ベース枠２４３に設けられた第４レンズユニット用のベース接着溜まり（接着剤保持部）２４３ｃに接着剤を塗布する。この接着剤によって、第４レンズユニット用の押さえ環２４２およびワッシャ（円環状部材）２４８とベース枠２４３とが接着される。これにより、ベース枠２４３に対する第４レンズ保持枠２４１の衝撃や振動によるズレを抑制することが可能である。接着剤としては紫外線硬化接着剤やエポキシ系接着剤、アクリル系接着剤などが好適である。
【００４４】
（接着剤のレンズ装置内部への流入を抑制するための構成）
図４に示すように、前述のワッシャ２４８は、少なくとも一部が第４レンズ保持枠２４１の外周面よりもベース枠２４３の内周面側に突出するようにベース枠２４３の内部に配置されている。さらに、光軸方向視において、ワッシャ２４８の一部と第４レンズ保持枠２４１の一部が重なっている。図４は図３に示すＢ領域の拡大図であり、図３は図２に示すＡＡ断面におけるレンズ装置２００の断面図の一部である。図２は図１に示した第４レンズユニット用の保持構造を光軸後ろ方向から示した図である。ベース枠２４３には光軸周りに略６０度間隔で前述のベース接着溜まり２４３ｃが６個設けられている。図２では第４レンズ保持枠２４１とベース円筒部２４３ｄとの中心軸が一致した状態となっている。
【００４５】
上記の第４レンズ保持枠２４１の外周面とは、図４中のワッシャ保持形状２４１ｂの側面である。また、後述のように、本実施例においてはワッシャ２４８の外周面はベース枠２４３の内周面に接触しているが、ワッシャ２４８の外周面の一部がベース枠２４３の内周面に接触する構成でもよい。実使用上問題の無い範囲で、あるいは、接着剤の流入量をわずかにできる範囲であれば、ワッシャ２４８の外周面がベース枠２４３の内周面に接触していなくてもよい。
【００４６】
さらに、図１及び図４に示すように、ワッシャ２４８は光軸方向と交差するようにベース枠２４３の内部に配置されている。ここでいう光軸方向と交差するように配置されているとは、ワッシャ２４８の径方向が光軸方向と交差するように配置されていることをいう。本実施例において、ワッシャ２４８は光軸方向と直交するように配置されているが、完全に光軸方向に直交している必要はない。
【００４７】
また、図４に示すように、ベース接着溜まり２４３ｃは、第４レンズユニットの光軸方向に開口している。このため、本実施例ではベース接着溜まり２４３ｃに光軸方向から接着剤２５０を供給（塗布）する。このとき、ワッシャ２４８が存在しない場合には、接着剤２５０がベース枠２４３の内部に流入してしまう。
【００４８】
これに対して、本実施例では、前述のようにワッシャ２４８をベース枠２４３の内部に配置することで、ワッシャ２４８が接着剤２５０をせき止める遮蔽部材として機能する。この結果、光軸方向から塗布された接着剤のレンズ装置内部への流入が抑制される。
【００４９】
接着剤２５０がレンズ装置２００の内部、ベース枠２４３の内部に流入してしまうと、本来は接着剤を塗布すべきではない箇所、例えば可動する部材とその部材を保持する部材との間に接着剤が付着してしまう。その結果、レンズ装置の作動機構の動作不良や光学性能の低下が起きてしまう。さらに、ワッシャ２４８が存在しない、あるいは、ワッシャ２４８の少なくとも一部が第４レンズ保持枠２４１の外周面よりもベース枠２４３の内周面側に突出していない構成では、接着剤の流入以外に次の点でも好ましくない。すなわち、この構成では、第４レンズ保持枠２４１の外周面とベース枠２４３の内周面との間の隙間はふさがれていないために、この隙間から不要な光線が撮像素子に到達し、不要なゴーストが発生し、写真の品位が低下するおそれがある。
【００５０】
つまり、本実施例においては、前述のように接着剤の流入を抑制することが可能であるとともに、不要なゴーストの発生も抑制することが可能である。
【００５１】
（より好ましい構成）
以下、本実施例のレンズ装置２００が備える構成あるいはその変形例であって、上記の効果を強める、あるいは、上記の効果とは別の効果を発揮することが可能な構成あるいはその変形例について説明する。
【００５２】
前述の通り、第４レンズ保持枠２４１が所望の位置となるように光学調整をした後に相対位置がずれることを抑制するために接着する場合は、ベース接着溜まり２４３ｃに接着剤２５０を塗布する。それにより、ベース枠２４３とワッシャ２４８および押さえ環２４２を接着する。
【００５３】
このとき、本実施例においては、図４に示すように、ワッシャ２４８の外周面（全体）がベース枠２４３のうちベース円筒部２４３ｄの内周面に接触している。言い換えれば、ベース円筒部２４３ｄの内径がワッシャ２４８の外径と嵌合している。さらに、ワッシャ２４８の面のうち外周面と異なる面であって押え環２４２側の面は押え環２４２に接触している。言い換えれば、光軸方向視において、ワッシャ２４８の一部と押え環２４２の一部が重なっている。このため、接着剤２５０がレンズ装置２００の内部に流入するのを充分に抑制することができる。
【００５４】
光学調整によって、ベース枠２４３に対して第４レンズ保持枠２４１が光軸方向に移動した場合を考える。この場合、第４レンズ保持枠２４１と押さえ環２４２とに保持されたワッシャ２４８も移動する。前述のように、本実施例においては、ワッシャ２４８の外径はベース円筒部２４３ｄの内径と嵌合しているため、第４レンズ保持枠２４１の光軸方向の位置を調整したとしても、隙間を塞いだままとすることができる。
【００５５】
また、光学調整によって、ベース枠２４３に対して第４レンズ保持枠２４１が光軸直交方向に、あるいは光軸方向に対して傾くように移動した場合を考える。この場合、第４レンズ保持枠２４１と４群押さえ環２４２とに保持されたワッシャ２４８も移動する。本実施例においては、ワッシャ２４８の外径はベース円筒部２４３ｄの内径と嵌合しているため、第４レンズ保持枠２４１の光軸直交方向の位置あるいは姿勢を調整したとしても、隙間を塞いだままとすることができる。
【００５６】
本実施例において接着剤２５０は紫外線硬化接着剤である。そして、ベース接着溜まり２４３ｃに塗布した接着剤２５０に対して光軸方向後ろ方向（図４における紙面右方向）より紫外線を照射して接着剤を硬化させる。本実施例においては、前述のように、ワッシャ２４８の外周面がベース枠２４３の内周面に接触している。このため、接着剤２５０が、例えば、ワッシャ２４８の裏側（光軸方向で前側、図４における紙面左側）に回り込んで紫外線に対して影になる箇所に到達してしまうことを抑制することができる。
【００５７】
図４に示すように、ワッシャ２４８の光軸方向前側には弾性変形可能なワッシャ付勢部材（付勢部材）２４８ａが取り付けられている。ワッシャ付勢部材２４８ａはスポンジであり、第４レンズ保持枠２４１に押さえ環２４２が固定されることで光軸方向に圧縮されている。そして、ワッシャ２４８及びワッシャ付勢部材２４８ａは第４レンズ保持枠２４１と押さえ環２４２とに保持されている。
【００５８】
この結果、ワッシャ付勢部材２４８ａによってワッシャ２４８が押さえ環２４２に付勢される。そして、ワッシャ２４８が押さえ環２４２に接触している状態でワッシャ２４８の光軸方向への移動を抑制し、ワッシャ２４８を安定して保持することが可能となる。
【００５９】
ここで、図４に示すように、ワッシャ２４８の内径（内周面、内周部）と第４レンズ保持枠２４１の外径（外周面、外周部）との第４レンズ保持枠２４１の径方向の隙間をＧとする。前述の光学調整を行うことで、第４レンズ保持枠２４１は光軸方向と直交する面内で移動することが可能である。仮に隙間Ｇが小さすぎると、本来であれば更なる光学調整が可能であるにも関わらず、ワッシャ２４８の内径が小さすぎて光学調整量に制限が掛かってしまう。このため、本実施例においては、ワッシャ２４８の内径を次の条件が成立するように設定している。
【００６０】
すなわち、調整手段による第４レンズ保持枠２４１の位置の最大調整量をＲｍａｘとする。より詳細には、前述の光学調整におけるベース枠２４３に対する第４レンズ保持枠２４１の光軸方向と直交する面上での最大移動量（最大調整量）をＲｍａｘとする。このとき、レンズ装置２００は、
Ｒｍａｘ≦Ｇ      （１）
を満足するように構成されている。ワッシャ２４８の内径が上記の（１）式を満足するように設定されていることで、ベース枠２４３に対して第４レンズ保持枠２４１をＲｍａｘ移動させたとしても、部品同士が干渉して光学調整量が制限されることを抑制することができる。
【００６１】
次に、第４レンズ保持枠２４１の最外径をＤｂ、ワッシャ２４８の内径をＤｗとする。このとき、レンズ装置２００は、
Ｄｗ＋２×Ｒｍａｘ＜Ｄｂ      （２）
を満足するように構成されている。レンズ装置２００は、前述（１）式に加えて上記の（２）式を満たしている。このため、光軸後ろ方向から見た場合に、光学調整を最大量行ったとしても、第４レンズ保持枠２４１の外周面よりも外側にワッシャ２４８の内周面が位置することはない。言い換えれば、光学調整を最大量行ったとしても、ワッシャ２４８の一部と第４レンズ保持枠２４１は光軸方向視で重なっている。
【００６２】
〔第２実施例〕
図５及び図６を用いて本発明の第２実施例におけるレンズ装置の構成について説明する。本実施例においては、前述の第１実施例におけるワッシャ２４８とワッシャ付勢部材２４８ａの代わりにワッシャ４４８を設けている。
【００６３】
図５は本実施例におけるワッシャ４４８を示した図である。図６は図５に示すＣ−Ｃにおける断面図である。ワッシャ４４８は平面部４４８ａと付勢形状部（弾性変形部）４４８ｂとで構成されている。付勢形状部４４８ｂは平面部４４８ａに対して、図に点線で示す矢印方向に弾性変形可能である。ワッシャ４４８は第４レンズ保持枠２４１と押さえ環２４２とで保持されると、付勢形状部４４８ｂが変形し、平面部４４８ａが４群押さえ環２４２に当接する。その結果、ワッシャ４４８の光軸方向の位置の変化を抑制し、ワッシャ４４８を安定して保持することができる。
【００６４】
ワッシャ４４８は前述の第１実施例におけるワッシャ２２８と同じサイズで同じようにベース枠２４３内部に配置されている。このため、本実施例のレンズ装置においても、光軸方向から塗布された接着剤のレンズ装置内部への流入を抑制することができる。
【００６５】
〔変形例〕
以上、各実施例について説明したが、本発明はこれらの実施例に限定されず、その要旨の範囲内で種々の変形及び変更が可能である。
【００６６】
例えば、前述の各実施例では、第４ｂサブレンズユニットＬ４ｂを保持するための押さえ環２４２によって、ワッシャ２４８またはワッシャ４４８を第４レンズ保持枠２４１に保持していた。しかしながら、押さえ環２４２を、ワッシャ２４８またはワッシャ４４８を保持するためのみの部材として用いても良い。
【００６７】
また、前述の各実施例では、第４レンズユニット用の保持構造においてワッシャ２４８あるいはワッシャ４４８を用いた構成を例示したが、その他のレンズユニット用の保持構造にワッシャ２４８あるいはワッシャ４４８を用いても良い。
【００６８】
また、ワッシャ２４８およびワッシャ４４８の形状は、光軸方向視で一周が繋がった円形としているが、その一部が途切れているＣ字形状であってもよい。この場合は、ワッシャが途切れている箇所以外で押さえ環２４２とベース枠２４３との接着を行うことで、接着剤の流れ出しが抑制可能である。
【００６９】
また、ワッシャ２４８およびワッシャ４４８の形状は、内径と外径との間の幅に対して光軸方向の寸法が短い板材としているが、その逆に光軸方向の寸法の方が長い円筒状の形状であってもよい。
【００７０】
また、光学調整用の調整手段を有さないレンズ装置に前述のワッシャ２４８を設けて前述の各実施例と同様に接着剤のレンズ装置内部の流入を抑制してもよい。
【００７１】
また、前述の各実施例では、第４レンズ保持枠２４１を保持する押さえ環（押さえ部材）２４２を接着剤２５０でベース枠２４３に保持していたが、押さえ環２４２が無く、第４レンズ保持枠２４１を接着剤２５０で直接ベース枠２４３に固定してもよい。
【００７２】
また、前述の各実施例における各レンズユニットあるいはサブレンズユニットは、レンズが１枚のみの構成であってもよいし、複数のレンズを備える構成であってもよい。
【符号の説明】
【００７３】
２００  レンズ装置
２４１  第４レンズ保持枠（レンズ保持部材）
２４３  第４レンズユニット用のベース枠（ベース部材）
２４３ｃ  第４レンズユニット用のベース接着溜まり（接着剤保持部）
２４８  ワッシャ（円環状部材）
Ｌ４ａ  第４ａサブレンズユニット（レンズ）
Ｌ４ｂ  第４ｂサブレンズユニット（レンズ）
【図１】
2019184802.tif 000003
【図２】
2019184802.tif 000004
【図３】
2019184802.tif 000005
【図４】
2019184802.tif 000006
【図５】
2019184802.tif 000007
【図６】
2019184802.tif 000008
【図７】
2019184802.tif 000009
【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
レンズユニットを保持するレンズ保持部材と、
接着剤を保持するために前記レンズユニットの光軸方向に開口している接着剤保持部を有するとともに、前記レンズ保持部材の外周側に設けられたベース部材と、
少なくとも一部が前記レンズ保持部材の外周面よりも前記ベース部材の内周面側に突出するとともに前記光軸方向と交差するように前記ベース部材の内部に配置された円環状部材と、
前記レンズ保持部材を保持する押さえ部材と、を備え、
前記円環状部材は、前記レンズ保持部材と前記押さえ部材に保持されている、
ことを特徴とするレンズ装置。
【請求項２】
前記円環状部材の外周面の少なくとも一部は、前記ベース部材の内周面に接触している、
ことを特徴とする請求項１に記載のレンズ装置。
【請求項３】
前記円環状部材は、前記ベース部材の内周面に嵌合している、
ことを特徴とする請求項１または２に記載のレンズ装置。
【請求項４】
前記円環状部材を付勢するための付勢部材をさらに備える、
ことを特徴とする請求項１乃至３のいずれか一項に記載のレンズ装置。
【請求項５】
前記円環状部材は、平面部と、弾性変形可能な弾性変形部を備え
前記弾性変形部によって前記平面部が付勢されている、
ことを特徴とする請求項１乃至３のいずれか一項に記載のレンズ装置。
【請求項６】
前記ベース部材に対する前記レンズ保持部材の相対的な位置及び姿勢のうち少なくとも一方を調整するための調整手段をさらに備える、
ことを特徴とする請求項１乃至５のいずれか一項に記載のレンズ装置。
【請求項７】
前記調整手段による前記レンズ保持部材の位置の最大調整量をＲｍａｘとし、前記円環状部材の内周部と前記レンズ保持部材の外周部との隙間の前記円環状部材の径方向の大きさをＧとするとき、
Ｒｍａｘ≦Ｇ
を満足するように構成されている、
ことを特徴とする請求項６に記載のレンズ装置。
【請求項８】
前記調整手段による前記レンズ保持部材の位置の最大調整量をＲｍａｘとし、前記レンズ保持部材の最外径をＤｂとし、前記円環状部材の内径をＤｗとするとき、
Ｄｗ＋２×Ｒｍａｘ＜Ｄｂ
を満足するように構成されている、
ことを特徴とする請求項６または７に記載のレンズ装置。
【請求項９】
請求項１乃至８のいずれか一項に記載のレンズ装置と、
前記レンズ装置が着脱可能であるとともに、撮像素子を有するカメラボディとを備える、
ことを特徴とする光学機器。
【請求項１０】
請求項１乃至８のいずれか一項に記載のレンズ装置と、
前記レンズ装置と一体的に構成されているとともに、撮像素子を有するカメラボディとを備える、
ことを特徴とする光学機器。
【手続補正２】
【補正対象書類名】明細書
【補正対象項目名】０００６
【補正方法】変更
【補正の内容】
【０００６】
上記の目的を達成するために本発明のレンズ装置は、
レンズユニットを保持するレンズ保持部材と、
接着剤を保持するために前記レンズユニットの光軸方向に開口している接着剤保持部を有するとともに、前記レンズ保持部材の外周側に設けられたベース部材と、
少なくとも一部が前記レンズ保持部材の外周面よりも前記ベース部材の内周面側に突出するとともに前記光軸方向と交差するように前記ベース部材の内部に配置された円環状部材と、
前記レンズ保持部材を保持する押さえ部材と、を備え、
前記円環状部材は、前記レンズ保持部材と前記押さえ部材に保持されている、
ことを特徴とする。
【手続補正３】
【補正対象書類名】明細書
【補正対象項目名】０００８
【補正方法】変更
【補正の内容】
【０００８】
【図１】本発明の第１実施例における第４レンズユニット保持構造の分解斜視図
【図２】本発明の第１実施例における第４レンズユニット保持構造を光軸後ろ方向から示した図
【図３】図２に示すＡ−Ａにおける断面図
【図４】図３に示すＢ領域の拡大図
【図５】本発明の第２実施例におけるワッシャ４４８を示した図
【図６】図５に示すＣ−Ｃにおける断面図
【図７】本発明の実施形態であるレンズ保持部材付勢構造を備えた一眼レフカメラ用交換レンズ
【手続補正４】
【補正対象書類名】明細書
【補正対象項目名】００３２
【補正方法】変更
【補正の内容】
【００３２】
レンズ装置２００では、これらの機構によってインナーフォーカス方式における焦点距離変化に伴う焦点位置ズレをメカ的な機構で第２レンズユニットＬ２を光軸方向に進退させて補正している。
【手続補正５】
【補正対象書類名】明細書
【補正対象項目名】００３３
【補正方法】変更
【補正の内容】
【００３３】
メイン基板１１４はフォーカスユニット１０８、電磁絞りユニット３０１、およびエンコーダフレキシブル基板とフレキシブル基板を介して、または直接電気的に接続され、各種制御を行う。接点ブロック１１５はマウント部１０１にビス止め固定され、メイン基板１１４とフレキシブル基板を介して接続される。接点ブロック１１５はカメラボディ１００との通信および電源の供給を行うために設けられている。裏蓋１１６はマウント部１０１に弾性結合して有害光をカットしている。保護ゴムリング１１７はマウント部１０１に弾性結合している。
【手続補正６】
【補正対象書類名】明細書
【補正対象項目名】００４１
【補正方法】変更
【補正の内容】
【００４１】
平行調整コロ２４５と倒し調整コロ２４６とをビス中心軸周りでそれぞれ回転させることで、ベース枠２４３に対する第４レンズ保持枠２４１の軸位置が変化する。そして、ベース枠２４３に対する第４レンズ保持枠２４１の相対位置が変化するため、第４ａサブレンズユニットＬ４ａと第４ｂサブレンズユニットＬ４ｂとの光軸前後方向、偏心方向、傾き方向の位置が変化する。
【手続補正７】
【補正対象書類名】明細書
【補正対象項目名】００４２
【補正方法】変更
【補正の内容】
【００４２】
以上の構成によって、製造誤差で第４レンズユニットに生じる光軸方向の位置ずれや光軸ズレを修正する光学調整が可能である。つまり、レンズ装置２００は、ベース枠２４３に対する第４レンズ保持枠２４１の相対的な位置及び姿勢のうち少なくとも一方を調整するための調整手段を備えている。そして、この調整手段は、本実施例においては、平行調整コロ２４５、倒し調整コロ２４６、ベース平行調整コロ穴２４３ａ、ベース倒し調整コロ穴２４３ｂを備えている。
【手続補正８】
【補正対象書類名】明細書
【補正対象項目名】００４４
【補正方法】変更
【補正の内容】
【００４４】
（接着剤のレンズ装置内部への流入を抑制するための構成）
図４に示すように、前述のワッシャ２４８は、少なくとも一部が第４レンズ保持枠２４１の外周面よりもベース枠２４３の内周面側に突出するようにベース枠２４３の内部に配置されている。さらに、光軸方向視において、ワッシャ２４８の一部と第４レンズ保持枠２４１の一部が重なっている。図４は図３に示すＢ領域の拡大図であり、図３は図２に示すＡＡ断面におけるレンズ装置２００の断面図の一部である。図２は図１に示した第４レンズユニット用の保持構造を光軸後ろ方向から示した図である。ベース枠２４３には光軸周りに略６０度間隔で前述のベース接着溜まり２４３ｃが６個設けられている。図２では不図示の第４レンズ保持枠２４１と不図示のベース円筒部２４３ｄとの中心軸が一致した状態となっている。
【手続補正９】
【補正対象書類名】明細書
【補正対象項目名】００５５
【補正方法】変更
【補正の内容】
【００５５】
また、光学調整によって、ベース枠２４３に対して第４レンズ保持枠２４１が光軸直交方向に、あるいは光軸方向に対して傾くように移動した場合を考える。この場合、第４レンズ保持枠２４１と押さえ環２４２とに保持されたワッシャ２４８も移動する。本実施例においては、ワッシャ２４８の外径はベース円筒部２４３ｄの内径と嵌合しているため、第４レンズ保持枠２４１の光軸直交方向の位置あるいは姿勢を調整したとしても、隙間を塞いだままとすることができる。
【手続補正１０】
【補正対象書類名】明細書
【補正対象項目名】００６３
【補正方法】変更
【補正の内容】
【００６３】
図５は本実施例におけるワッシャ４４８を示した図である。図６は図５に示すＣ−Ｃにおける断面図である。ワッシャ４４８は平面部４４８ａと付勢形状部（弾性変形部）４４８ｂとで構成されている。付勢形状部４４８ｂは平面部４４８ａに対して、図に点線で示す矢印方向に弾性変形可能である。ワッシャ４４８は第４レンズ保持枠２４１と押さえ環２４２とで保持されると、付勢形状部４４８ｂが変形し、平面部４４８ａが押さえ環２４２に当接する。その結果、ワッシャ４４８の光軸方向の位置の変化を抑制し、ワッシャ４４８を安定して保持することができる。
【手続補正１１】
【補正対象書類名】明細書
【補正対象項目名】００７１
【補正方法】変更
【補正の内容】
【００７１】
また、前述の各実施例では、第４レンズ保持枠２４１を保持する押さえ環（押さえ部材）２４２を接着剤２５０でベース枠２４３に固定していたが、押さえ環２４２が無く、第４レンズ保持枠２４１を接着剤２５０で直接ベース枠２４３に固定してもよい。